(57)【要約】【課題】外観品質を損なうことなく、排水不良を生じにくくできる照明器具を提供する。【解決手段】照明器具において、光源を備え壁面に取り付けられる器具本体と、水平方向に長尺で長手方向両端が側板部で閉塞され器具本体を覆って装着される透光性のカバー２６と、カバー２６に形成され壁面に沿う方向の正面板部３４と、正面板部下縁３８に連続して壁面に向かって下り傾斜で形成される下り傾斜底板部３５と、下り傾斜底板部下縁４０に、カバー材の厚みｔと同一若しくはそれよりも大きい曲げ半径のＲ曲げ部４１を介して連続して壁面に沿って立ち上がる当接板部３３と、カバー２６の長手方向の少なくとも一端側に設けられＲ曲げ部４１およびＲ曲げ部４１に連続する当接板部３３の一部分を除去して形成される排水孔４５と、を設けた。【選択図】図４
2012252786.tif 000002
【特許請求の範囲】
【請求項１】
光源を備え壁面に取り付けられる器具本体と、
水平方向に長尺で長手方向両端が側板部で閉塞され前記器具本体を覆って装着される透光性のカバーと、
前記カバーに形成され前記壁面に沿う方向の正面板部と、
正面板部下縁に連続して前記壁面に向かって下り傾斜で形成される下り傾斜底板部と、
下り傾斜底板部下縁に、前記カバー材の厚みと同一若しくはそれよりも大きい曲げ半径のＲ曲げ部を介して連続して前記壁面に沿って立ち上がる当接板部と、
前記カバーの長手方向の少なくとも一端側に設けられ前記Ｒ曲げ部および該Ｒ曲げ部に連続する前記当接板部の一部分を除去して形成される排水孔と、を具備する照明器具。
【請求項２】
請求項１に記載の照明器具において、
前記カバーが、前記側板部を前記器具本体に固定されることで該器具本体に装着され、
前記カバーの長手方向の中央部に、前記排水孔が形成される照明器具。
【請求項３】
請求項１に記載の照明器具において、
前記排水孔が、前記カバーの長手方向の両端側に亘って連続して形成されている照明器具。
【請求項４】
請求項１ないし請求項３のうちのいずれか１項に記載の照明器具において、
前記カバーと前記壁面との間をシールするパッキン材が前記カバーと前記壁面との間に設けられ、
前記排水孔が前記カバーと前記パッキン材との間に開口する照明器具。
【発明の詳細な説明】
【技術分野】
【０００１】
本発明は、水平方向に長尺のカバーが装着される照明器具に関する。
【背景技術】
【０００２】
略一直線状に形成された発光部と、この発光部を収容する筒状の透明ケースとを備えて、屋外に設置される照明器具が特許文献１に開示されている。この照明器具は、透明ケースを周囲の構造物等に固定するための取付金具を備える。発光部は、発光ＬＥＤ素子、直管形蛍光灯、ネオン管等の発光体を直線状に配列したものである。透明ケースは、雨水等が内部に浸入しないように、例えば壁面との接合部等にパッキンを挿入する等、防水処置が施される。
【０００３】
ところで、屋外に設置される照明器具では、雨水等が直接浸入しなくても、周囲の温度変化による結露によって、透明ケース内に水滴が発生する場合がある。また、当初は良好な防水性能を維持できていても、いずれ、経年変化による接合部の老化等で透明ケースの防水性能が低下して、内部に雨水等が浸入してしまう虞がある。また、発光部が発熱し易い場合には、発熱を外部に逃がす排気孔を装備する必要もある。そこで、従来の照明器具では、透明ケースの内側に浸入した水の速やかな排出と、排熱のための通気を兼ねて、透明ケースの下面に水抜き孔を設ける技術が普及している。
【先行技術文献】
【特許文献】
【０００４】
【特許文献１】特開２００６−３１９５３号公報（請求項１、図１０、段落０００４）
【発明の概要】
【発明が解決しようとする課題】
【０００５】
図７（Ａ）に示すように、従来の照明器具１００は、壁面に横付けされたとき、少なくとも長手方向の一端側に傾いて設定されており、排水のための水抜き孔１０１は、透明ケース１０２の両端部１０３に設けてさえすればよかった。
しかしながら、この場合、透明ケース１０２が熱により膨張し、中央部１０４が水抜き孔１０１よりも下の位置になった場合、図７（Ｂ）に示すように、中央部１０４に溜まった水１０５が水抜き孔１０１から排水できなくなる排水不良の生じる問題があった。これに対し、図８に示すように、水抜き孔１０１を透明ケース下面１０６の両端部１０３や中央部１０４に設けると、外観品質を損なうだけでなく、虫の侵入、あるいは、埃等の異物が透明ケース１０２の内側に入ってしまう問題があった。
【０００６】
本発明は上記状況に鑑みてなされたもので、その目的は、外観品質を損なうことなく、排水不良を生じにくくできる照明器具を提供することにある。
【課題を解決するための手段】
【０００７】
本発明の照明器具は、光源を備え壁面に取り付けられる器具本体と、水平方向に長尺で長手方向両端が側板部で閉塞され前記器具本体を覆って装着される透光性のカバーと、前記カバーに形成され前記壁面に沿う方向の正面板部と、正面板部下縁に連続して前記壁面に向かって下り傾斜で形成される下り傾斜底板部と、下り傾斜底板部下縁に、前記カバー材の厚みと同一若しくはそれよりも大きい曲げ半径のＲ曲げ部を介して連続して前記壁面に沿って立ち上がる当接板部と、前記カバーの長手方向の少なくとも一端側に設けられ前記Ｒ曲げ部および該Ｒ曲げ部に連続する前記当接板部の一部分を除去して形成される排水孔と、を具備するものである。
【０００８】
また、本発明の照明器具は、前記カバーが、前記側板部を前記器具本体に固定されることで該器具本体に装着され、前記カバーの長手方向の中央部に、前記排水孔が形成されるものである。
【０００９】
さらに、本発明の照明器具は、前記排水孔が、前記カバーの長手方向の両端側に亘って連続して形成されているものである。
【００１０】
さらに、本発明の照明器具は、前記カバーと前記壁面との間をシールするパッキン材が前記カバーと前記壁面との間に設けられ、前記排水孔が前記カバーと前記パッキン材との間に開口するものである。
【発明の効果】
【００１１】
本発明に係る照明器具によれば、外観品質を損なうことなく、排水不良を生じにくくできる。
【図面の簡単な説明】
【００１２】
【図１】本発明に係る実施形態の照明器具の斜視図
【図２】図１に示した照明器具の分解斜視図
【図３】（Ａ）はパッキン材を備えた照明器具を背面側から見た斜視図、（Ｂ）は（Ａ）の端部における要部拡大図、（Ｃ）は（Ａ）の中央部における要部拡大図
【図４】（Ａ）は図２に示したカバーの長手方向に直交する方向の断面図、（Ｂ）は（Ａ）のＤ部拡大図
【図５】図２に示したカバーが膨張した場合の排水状況を表す背面図
【図６】排水孔が長手方向に連続して形成された変形例に係る照明器具の斜視図
【図７】（Ａ）は従来の照明器具における透明ケースの背面図、（Ｂ）は透明ケースが膨張した場合の排水状況を表す背面図
【図８】従来の照明器具の斜視図
【発明を実施するための形態】
【００１３】
以下、本発明に係る実施形態について、図面を用いて説明する。
図１は本発明に係る実施形態の照明器具の斜視図、図２は図１に示した照明器具の分解斜視図である。
本実施形態に係る照明器具１０は、板金材等によって長尺に形成された器具本体１１が壁面１２に固定される。器具本体１１の壁面１２への固定は、例えば壁面１２に植設したボルト１３を器具本体１１の取付孔１４に挿通し、ボルト１３の挿通先端側に座金１５を挿入してナット１６を螺合されることで行われる。器具本体１１には光源駆動装置１７が取り付けられる。光源駆動装置１７には壁面１２より導出された電源配線１８が接続される。壁面１２より導出された電源配線１８は、器具本体１１の電源線引込み孔１９から器具本体内へ引き込まれる。電源配線１８と電源線引込み孔１９との間はシール材２０によって水密シールされてもよい。
【００１４】
器具本体１１の長手方向の両端にはソケット支持ブラケット２１が設けられる。ソケット支持ブラケット２１の先端にはソケット２２が設けられる。ソケット２２は、不図示の器具内配線によって光源駆動装置１７と電気的に接続されている。
【００１５】
一対のソケット２２の間には略一直線状の光源２３が装着される。光源２３は、発光ＬＥＤ素子、直管形蛍光灯、ネオン管等の発光体を直線状に配列したものとできる。本実施形態では光源２３を直管形蛍光灯２４としている。
【００１６】
ソケット支持ブラケット２１の基端側には雌ねじ部２５が設けられている。この雌ねじ部２５にはカバー２６を貫通した摘みねじ２７が螺合される。カバー２６は、透光性を有する材料からなる。透光性を有する材料としては、例えば、ポリカーボネートやアクリル等の樹脂材料を用いることができる。また、光は１００％に近く透過することが好ましいが、混色、色むら等の対策として半透明、あるいは、不透明（例えば、光透過性が７０％程度以上の乳白色のもの等）であってもよい。
【００１７】
図３は（Ａ）はパッキン材２８を備えた照明器具１０を背面側から見た斜視図、（Ｂ）は（Ａ）の端部２９における要部拡大図、（Ｃ）は（Ａ）の中央部３０における要部拡大図である。
図３（Ａ）に示すように、このカバー２６は、水平方向に長尺で長手方向両端が側面視で台形状の側板部３１で閉塞されて、器具本体１１を覆って装着される。カバー２６の壁面１２に対面する背面は、矩形状の取付開口部３２となる。取付開口部３２を挟む上下には、壁面１２に対面する後述の当接板部３３（図４参照）が形成される。この当接板部３３と壁面１２との間、および側板部３１と壁面１２との間には、矩形状のパッキン材２８が装着されてもよい。
【００１８】
図４は（Ａ）は図２に示したカバー２６の長手方向に直交する方向の断面図、（Ｂ）は（Ａ）のＤ部拡大図である。
図４（Ａ）に示すように、カバー２６の長手方向に直交する方向の断面形状は、正面板部３４と、下り傾斜底板部３５と、天板部３６と、当接板部３３と、係止縁部３７と、によって形成される。正面板部３４は、壁面１２に沿う方向の正面板となる。下り傾斜底板部３５は、正面板部下縁３８に連続して壁面１２に向かって下り傾斜で形成される。天板部３６は、正面板部上縁３９に連続して壁面１２に向かって上り傾斜で形成される。当接板部３３は、下り傾斜底板部下縁４０に、カバー材の厚みと同一若しくはそれよりも大きい曲げ半径のＲ曲げ部４１を介して連続して壁面１２に沿って立ち上がる。また、天板部上縁４２には当接板部３３を上下反転させた形状の上部当接板部４３が連続して形成される。係止縁部３７は、先端の係止片４４が器具本体１１に設けられる不図示の係止部に係止され、カバー２６を器具本体１１に装着する。
【００１９】
図３（Ｂ）に示すように、カバー２６の長手方向の少なくとも一端側には排水孔４５が設けられている。本実施形態では、排水孔４５は、カバー２６の長手方向両端に設けられている。排水孔４５は、図４（Ｂ）に示すように、Ｒ曲げ部４１およびＲ曲げ部４１に連続する当接板部３３の一部分を除去して形成される。Ｒ曲げ部４１の半径はカバー材の厚みｔと同一若しくはそれよりも大きいので、Ｒ中心４６は当接板部３３の背面またはそれよりも内側となる。Ｒ曲げ部４１が除去されることで、下り傾斜底板部下縁４０の若干部分４７も除去されることになる。これにより、下り傾斜底板部３５を流下する水４８は、障害物に当たることなく円滑に外部へと排出される。
【００２０】
なお、Ｒ曲げ部４１の半径がカバー材の厚みｔよりも小さい構造、あるいは、Ｒ曲げ部４１の半径がカバー材の厚みｔよりも大きくてもＲ曲げ部４１が全て除去されない構造等では、下り傾斜底板部下縁４０に立上り部が存在し易く、円滑な排水の障害となる。
【００２１】
また、本実施形態の照明器具１０では、カバー２６が、側板部３１を器具本体１１に固定されることで器具本体１１に装着される。従って、光源２３の発熱により長手方向に熱膨張しようとするカバー２６は、両端の伸長が規制されることで、内部応力によって上下幅が拡幅するように変形する（図５参照）。照明器具１０では、カバー２６の長手方向の中央部３０に、図３（Ｃ）に示す排水孔４５が形成される。すなわち、照明器具１０では、合計３箇所の排水孔４５が設けられている。
【００２２】
照明器具１０では、カバー２６と壁面１２との間をシールするパッキン材２８がカバー２６と壁面１２との間に設けられている。排水孔４５は、カバー２６とパッキン材２８との間に開口する。パッキン材２８は弾性変形容易なため、当接板部３３に押しつけられることで、排水孔４５内に膨出する。この場合においても、照明器具１０では、排水孔４５が下り傾斜底板部下縁４０の若干部分４７（図４参照）を除去して形成されているので、パッキン材２８の膨出によっても排水孔４５が完全に塞がれることがない。
【００２３】
次に、上記構成を有する照明器具１０の作用を説明する。
照明器具１０では、雨水が浸入したり、結露によって水４８がカバー内に入ると、正面板部３４の内面に付着した水４８は、正面板部下縁３８に流下し、下り傾斜底板部３５に伝わり、下り傾斜底板部下縁４０に流下する。また、正面板部３４の上方に連続する天板部３６や光源２３に付着した水４８は、下り傾斜底板部３５に落下し、下り傾斜底板部下縁４０に流下する。さらに、器具本体１１で結露した水４８はＲ曲げ部４１の内面に流下する。カバー下部の内側では、当接板部３３と下り傾斜底板部３５とによって挟まれた隅部が図４に示すＶ字排水溝４９となる。
【００２４】
上記構成によってＶ字排水溝４９には、延在方向の両端側に排水孔４５が設けられる。従って、カバー２６は、一端側が僅かな下り勾配となるように取り付けれることで、内部に侵入、あるいは、発生した全ての水４８がＶ字排水溝４９を流下して排水孔４５からカバー２６の外部へ排出される。また、照明器具１０では、排水孔４５がＲ曲げ部４１に穿設されている。Ｒ曲げ部４１は、下り傾斜底板部３５の延長表面５０よりも上方に湾曲するので、下り傾斜底板部下縁４０の奥まった位置で隠れる。これにより、下り傾斜底板部３５の底板表面５１に穿設される従来排水孔に比べて、目に触れにくくなる。
【００２５】
図５は図２に示したカバー２６が膨張した場合の排水状況を表す背面図である。
また、照明器具１０では、長尺のカバー２６が、両端の側板部３１によって、剛体である器具本体１１に固定される。カバー２６は、熱膨張によって長手方向に伸びると、両端の側板部３１が固定されていることで、下り傾斜底板部３５の中央部３０が内部応力によって下方へ撓む。これにより、Ｖ字排水溝４９の水４８は中央部３０へ流下し、中央部３０に設けられた排水孔４５からカバー２６の外部へ排出される。
【００２６】
また、照明器具１０では、壁面１２とカバー２６との水密性を確保するために、壁面１２とカバー２６との間にパッキン材２８が挟まれる。壁面１２と上部当接板部４３との間、壁面１２と側板部３１との間、壁面１２と当接板部３３との間は、パッキン材２８によってシールされる。この際、当接板部３３に当接したパッキン材２８は、排水孔４５の位置で当接板部３３と非接触となる。つまり、排水孔４５は、パッキン材２８と下り傾斜底板部３５とに包囲された開口空間となって残る。これにより、パッキン材２８を用いて、壁面１２とカバー２６との水密性を高めた場合であっても、排水孔４５を確保して排水不良を生じにくくできる。
【００２７】
図６は排水孔４５が長手方向に連続して形成された変形例に係る照明器具５２の斜視図である。
なお、図６に示す照明器具５２では、上記の排水孔４５が、カバー２６の長手方向の両端側に亘って連続するスリット状排水孔５３として形成されている。この場合、スリット状排水孔５３によって下り傾斜底板部下縁４０と分断された当接板部３３および係止縁部３７（図４参照）は、側板部３１に両端が接続される。また、スリット状排水孔５３は、当接板部３３および係止縁部３７が下り傾斜底板部下縁４０と分断されないように、所定間隔で不図示の連結部を設けてもよい。
【００２８】
スリット状排水孔５３を設けた照明器具５２では、カバー２６が水平に取り付けられていても、Ｖ字排水溝４９の溝底全てが排水孔４５となる。このため、下り傾斜底板部下縁４０に流下した水４８は、全てがスリット状排水孔５３から排出され、水４８がＶ字排水溝４９に残留することがない。
【００２９】
従って、本実施形態に係る照明器具１０、照明器具５２によれば、外観品質を損なうことなく、排水不良を生じにくくできる。
【符号の説明】
【００３０】
１０、５２  照明器具
１１  器具本体
１２  壁面
２３  光源
２６  カバー
２８  パッキン材
３０  中央部
３１  側板部
３３  当接板部
３４  正面板部
３５  下り傾斜底板部
３８  正面板部下縁
４０  下り傾斜底板部下縁
４１  Ｒ曲げ部
４５  排水孔
【図１】
2012252786.tif 000003
【図２】
2012252786.tif 000004
【図３】
2012252786.tif 000005
【図４】
2012252786.tif 000006
【図５】
2012252786.tif 000007
【図６】
2012252786.tif 000008
【図７】
2012252786.tif 000009
【図８】
2012252786.tif 000010